(57)【特許請求の範囲】
【請求項１】
切断対象物経路を介して対向配置された固定刃と可動刃とを有し、前記可動刃の回動に伴う互いの刃部の噛み合い位置の移動によって切断対象物を切断し、前記可動刃の一面に形成される段差により前記切断対象物に切り残しを形成する部分切断機能を備えるロータリカッタ装置において、
部分切断後の前記切断対象物の切り残し側を支持する支持部材を前記切断対象物経路に面する前記可動刃の一面から前記段差に延出させて設けることを特徴とするロータリカッタ装置。
【請求項２】
前記支持部材の前記切断対象物搬送経路側の面が、曲面形状であることを特徴とする請求項１記載のロータリカッタ装置。
【発明の詳細な説明】
【０００１】
【発明の属する技術分野】
本発明は、レシートプリンタやファクシミリプリンタ等に用いられ、部分切断機能を備えるロータリカッタ装置に関する。
【０００２】
【従来の技術】
一般に、レシート用紙等の長尺紙を用いるレシートプリンタ、ファクシミリ装置等では、印字後の用紙を適当な長さに切断するための用紙切断装置を印字部から見て用紙搬送方向下流側に備えたものが多い。このような用紙切断装置の一例としては、用紙全幅に渡る長さを有する直線板状の可動刃を固定刃に対して回動させて鋏のように噛み合わせることにより、互いの刃部の間に位置する切断対象物（例えば、レシート用紙等）を切断するようにしたロータリカッタ装置がある。このロータリカッタ装置は、簡単な構造でありながら切断対象物の確実な切断を実現している。
【０００３】
ところで、例えばこのようなロータリカッタ装置のレシートプリンタへの適用を考えた場合、長尺紙であるレシート用紙をフルカット（全切断）せずに、手で切断容易な程度の長さ分の切り残しを持たせるパーシャルカット（部分切断）が要求される場合がある。例えば、同一内容の印字を２部連続して行い、その境目を部分切断することで半券の機能を備え、飲食店での食券として利用する場合等である。
【０００４】
ここで、従来の部分切断機能を備えたロータリカッタ装置の一例を図５ないし図８に基づいて説明する。ここで、図５は従来のロータリカッタ装置１００を概略的に示す外観斜視図である。図５に示すように、ロータリカッタ装置１００の略コの字形状のフレーム１０１の対向する二つの側板１０２には、刃部１０３ａを有する板状の固定刃１０３と刃部１０４ａを有する板状の可動刃１０４とが、それぞれ支軸１０５，１０６によりそれぞれ短手方向中心からずれた位置において回動自在に取り付けられている。また、可動刃１０４にはその支軸１０６と平行に駆動軸１０７が設けられていて、この駆動軸１０７が一方の側板１０２に形成された縦長の長穴１０２ａを貫通して駆動力伝達機構（図示せず）に連設されている。この駆動軸１０７が駆動力伝達機構により長穴１０２ａの範囲で揺動されることにより、可動刃１０４は支軸１０６を中心に回動する。そして、可動刃１０４の回動に伴い固定刃１０３は一方向に押されて回動するが、この際、固定刃１０３の支軸１０５に取り付けられて固定刃１０３とフレーム１０１とを連結するコイルスプリング（図示せず）の復帰力により、固定刃１０３はその回動方向とは逆方向に反力を持つことになる。また、固定刃１０３の支軸１０５と可動刃１０４の支軸１０６とは平行位置からは僅かに傾斜して位置決めされているので、固定刃１０３と可動刃１０４との間にはＶ字形状の切断対象物搬送経路Ａが形成される。すなわち、可動刃１０４の回動と固定刃１０３の反力とによりＶ字形状の切断対象物搬送経路Ａが徐々に移動して小さくなることにより、それぞれの刃部１０３ａ，１０４ａが鋏のように噛み合うことになる。
【０００５】
さらに、可動刃１０４の上面には、レシート用紙の切り残し分と略同一の幅１０８ａを有して支軸１０６側から刃部１０４ａ側に向けて徐々に深くなる段差１０８が形成されている。つまり、この段差１０８部分には、刃部１０４ａは存在しないので、段差１０８の位置においては、可動刃１０４の回動に伴って互いの刃部１０３ａ，１０４ａが鋏のように噛み合うことはない。
【０００６】
次に、このような構成のロータリカッタ装置１００による部分切断について説明する。ここで、図６は従来のロータリカッタ装置１００での部分切断の状態を部分的に示す斜視図である。図６に示すように、切断対象物であるレシート用紙Ｐが、固定刃１０３と可動刃１０４とのそれぞれの刃部１０３ａ，１０４ａの間の切断対象物搬送経路Ａを通過した場合、レシート用紙Ｐの所定の位置において駆動軸１０７が駆動力伝達機構により揺動されることにより、段差１０８の幅１０８ａ分の切り残し部分Ｘを有する切断（部分切断）が実行される。
【０００７】
【発明が解決しようとする課題】
ところが、前述したようなロータリカッタ装置１００では、固定刃１０３と可動刃１０４とによるレシート用紙Ｐの切断の際の可動刃１０４の段差１０８近傍において、そのレシート用紙Ｐにねじれが生じる場合がある。
【０００８】
ここで、図７は従来のロータリカッタ装置１００での部分切断の状態を示す説明図である。図７に示すように、ロータリカッタ装置１００でレシート用紙Ｐを部分切断した場合、レシート用紙Ｐの切断された側と切り残し側とにおいてレシート用紙Ｐにおいて角度θのねじれが生じる。このねじれは、段差１０８の段差の深さによりレシート用紙Ｐの切断された側と切り残し側との高さが変わることに起因している。このように切断されたレシート用紙Ｐの切断された側と切り残し側との高さが変わることによりねじれが生じた場合、図８に示すように、切り残し部分Ｘの先端部分においてちぎれた状態となる破損部Ｂが発生することになる。このような破損部Ｂがレシート用紙Ｐに発生すると手でのレシート用紙Ｐの切断が上手くいかなくなり、最悪の場合にはレシート用紙Ｐが使い物にならなくなる場合もある。
【０００９】
本発明の目的は、部分切断の際に切断対象物の破損を防止することができるロータリカッタ装置を得ることである。
【００１０】
【課題を解決するための手段】
請求項１記載の発明は、切断対象物経路を介して対向配置された固定刃と可動刃とを有し、前記可動刃の回動に伴う互いの刃部の噛み合い位置の移動によって切断対象物を切断し、前記可動刃の一面に形成される段差により前記切断対象物に切り残しを形成する部分切断機能を備えるロータリカッタ装置において、部分切断後の前記切断対象物の切り残し側を支持する支持部材を前記切断対象物経路に面する前記可動刃の一面から前記段差に延出させて設ける。
【００１１】
したがって、部分切断後の切断対象物の切り残し側が、切断対象物経路に面する可動刃の一面から段差に延出して設けられた支持部材によって支持されることにより、切断対象物の切断側と切り残し側との高さの違いによるねじれが発生しなくなる。
【００１２】
請求項２記載の発明は、請求項１記載のロータリカッタ装置において、前記支持部材の前記切断対象物搬送経路側の面が、曲面形状である。
【００１３】
したがって、支持部材の切断対象物搬送経路側の面が曲面形状であることにより、切断対象物が支持部材に垂直に当接することがなくなる。
【００１４】
【発明の実施の形態】
本発明の実施の一形態を図１ないし図４に基づいて説明する。本実施の形態のロータリカッタ装置は、部分切断機能を備えたロータリカッタ装置に適用されている。ここで、図１（ａ）はロータリカッタ装置１を概略的に示す外観斜視図、（ｂ）はその一部を拡大して示す斜視図である。図１に示すように、ロータリカッタ装置１の略コの字形状のフレーム２の対向する二つの側板３には、刃部４ａを有する板状の固定刃４と刃部５ａを有する板状の可動刃５とが、それぞれ支軸６，７によりそれぞれ短手方向中心からずれた位置において回動自在に取り付けられている。また、可動刃５にはその支軸７と平行に駆動軸８が設けられていて、この駆動軸８が一方の側板３に形成された縦長の長穴３ａを貫通して駆動力伝達機構（図示せず）に連設されている。この駆動軸８が駆動力伝達機構により長穴３ａの範囲で揺動されることにより、可動刃５は支軸７を中心に回動する。そして、可動刃５の回動に伴い固定刃４は一方向に押されて回動するが、この際、固定刃４の支軸６に取り付けられて固定刃４とフレーム２とを連結するコイルスプリング（図示せず）の復帰力により、固定刃４はその回動方向とは逆方向に反力を持つことになる。また、固定刃４の支軸６と可動刃５の支軸７とは平行位置からは僅かに傾斜して位置決めされているので、固定刃４と可動刃５との間にはＶ字形状の切断対象物搬送経路Ａが形成される。すなわち、可動刃４の回動と固定刃５の反力とによりＶ字形状の切断対象物搬送経路Ａが徐々に移動して小さくなることにより、それぞれの刃部４ａ，５ａが鋏のように噛み合うことになる。
【００１５】
さらに、可動刃５の上面には、レシート用紙の切り残し分と略同一の幅９ａを有して支軸７側から刃部５ａ側に向けて徐々に深くなる段差９が形成されている。つまり、この段差９部分には、刃部５ａは存在しないので、段差９の位置においては、可動刃５の回動に伴ってそれぞれの刃部４ａ，５ａが鋏のように噛み合うことはない。
【００１６】
加えて、合成樹脂を形成材料として切断対象物搬送経路Ａ側の面１０ａの形状を曲面とした楔形状の用紙支持部材１０が、可動刃５の刃部５ａ側の上面から段差９の上面を部分的に含む位置に延出して接着固定されている。
【００１７】
次に、このような構成のロータリカッタ装置１による部分切断について説明する。ここで、図２はロータリカッタ装置１での部分切断の状態を部分的に示す斜視図、図３はその説明図である。図２に示すように、切断対象物であるレシート用紙Ｐが、固定刃４と可動刃５とのそれぞれの刃部４ａ，５ａの間の切断対象物搬送経路Ａを通過した場合、レシート用紙Ｐの所定の位置において駆動軸８（図１参照）が駆動力伝達機構により揺動されることにより、段差９の幅９ａ分の切り残し部分Ｘを有する切断（部分切断）が実行される。そして、図３に示すように、ロータリカッタ装置１でレシート用紙Ｐを部分切断した場合には、用紙支持部材１０の切断対象物搬送経路Ａ側の面１０ａが曲面形状であることによりレシート用紙Ｐが用紙支持部材１０に垂直に当接することなく面１０ａに沿って確実に搬送され、そのレシート用紙Ｐの切り残し側は、用紙支持部材１０によってレシート用紙Ｐの切断された側と略同一の高さに支持される。したがって、レシート用紙Ｐの切断された側と切り残し側との高さの違いによるねじれの角度θは、用紙支持部材１０を設けない場合に比べて、非常に小さくなる。このように切断されたレシート用紙Ｐの切断された側と切り残し側とのねじれの角度θが小さくなることにより、図４に示すように、レシート用紙Ｐの切り残し部分Ｘの先端部分を破損することのない部分切断が可能になる。
【００１８】
【発明の効果】
請求項１記載の発明によれば、部分切断後の切断対象物の切り残し側を切断対象物経路に面する可動刃の一面から段差に延出して設けられた支持部材によって支持することにより、切断対象物の切断側と切り残し側との高さの違いによるねじれの発生を防止するので、部分切断の際に切断対象物の破損を防止することができる。
【００１９】
請求項２記載の発明によれば、請求項１記載のロータリカッタ装置において、支持部材の切断対象物搬送経路側の面を曲面形状にすることにより、切断対象物を支持部材に垂直に当接させることを防止するので、切断対象物を確実に搬送することができる。
【図面の簡単な説明】
【図１】本発明の実施の一形態のロータリカッタ装置を示し、（ａ）はロータリカッタ装置を概略的に示す外観斜視図、（ｂ）はその一部を拡大して示す斜視図である。
【図２】ロータリカッタ装置での部分切断の状態を部分的に示す斜視図である。
【図３】その説明図である。
【図４】部分切断されたレシート用紙を示す平面図である。
【図５】従来のロータリカッタ装置を概略的に示す外観斜視図である。
【図６】従来のロータリカッタ装置での部分切断の状態を部分的に示す斜視図である。
【図７】従来のロータリカッタ装置での部分切断の状態を示す説明図である。
【図８】従来の部分切断されたレシート用紙の一例を示す平面図である。
【符号の説明】
４          固定刃
４ａ，５ａ  刃部
５          可動刃
９          段差
１０        支持部材
１０ａ      支持部材の切断対象物搬送経路側の面
Ａ          切断対象物搬送経路
Ｐ          切断対象物
Ｘ          切り残し
【図１】
0003791816.tif 000002
【図２】
0003791816.tif 000003
【図３】
0003791816.tif 000004
【図４】
0003791816.tif 000005
【図５】
0003791816.tif 000006
【図６】
0003791816.tif 000007
【図７】
0003791816.tif 000008
【図８】
0003791816.tif 000009